(57)【要約】【課題】本発明は、実際に各国通貨間の「両替」を行うことなく、所定国の通貨を他国の通貨に「換算」し、換算後の金額を容易に把握できるようにした通貨換算装置の提供を目的とする。【解決手段】投入された通貨の総額を自動的に算出し、その総額を指定された国の通貨レートに従って、指定された国の通貨に換算し、表示する。【選択図】図１
2019079161.tif 000002
【特許請求の範囲】
【請求項１】
所定国の通貨を他国の通貨に換算し、前記換算後の金額を把握できるようにした通貨換算装置において、利用者が投入する前記所定国の通貨を投入口から受入れる通貨受入れ手段及び、前記受入れた所定国の通貨を返金口に返却する通貨返却手段と、前記受入れた通貨の金種を識別する通貨識別手段と、前記識別した通貨の総額を算出する総額算出手段と、前記換算する通貨の種類を指定する通貨指定手段と、前記指定された通貨の種類に対応する通貨レートに従って、前記識別した所定国の通貨の総額を前記他国の通貨に換算する通貨換算手段と、前記通貨換算手段により換算された通貨の金額を表示部に表示する表示手段と、を備えることを特徴とする通貨換算装置。
【請求項２】
前記所定国の通貨とは、日本国の通貨であり又、前記他国の通貨とは、前記通貨指定手段により、複数国の通貨から選択的に指定した通貨であることを特徴とする請求項１に記載の通貨換算装置。
【請求項３】
前記所定国の通貨とは、前記通貨指定手段により、複数国の通貨から選択的に指定した通貨であり、前記他国の通貨とは、日本国の通貨であることを特徴とする請求項１に記載の通貨換算装置。
【請求項４】
前記通貨指定手段の指定に対応する通貨レートを予め入力する通貨レート入力手段と、前記入力された通貨レートを記憶する通貨レート記憶手段とを備えることを特徴とする請求項１乃至請求項３に記載の通貨換算装置。
【請求項５】
前記投入口として、硬貨を投入する為の硬貨投入口と紙幣を投入する為の紙幣投入口とを備え、又、前記返金口として、硬貨を返却する為の硬貨返却口と紙幣を返却する為の紙幣返却口とを備えることを特徴とする請求項１乃至請求項４に記載の通貨換算装置。
【請求項６】
前記通貨受入れ手段は、前記受入れた通貨を一時的に貯留部に保持する通貨保持手段を有することを特徴とする請求項１乃至請求項５に記載の通貨換算装置。
【請求項７】
前記貯留部は、前記換算された通貨の金額を表示手段により表示後、貯留部の保持手段を解放し、通貨返却手段により、保持されていた通貨を全て返金口に返却することを特徴とする請求項６記載の通貨換算装置。
【請求項８】
前記通貨受入れ手段が所定国の通貨以外を受入れた場合は、表示手段によりエラー表示を行うと共に、通貨返却手段により投入された前記通貨を返却することを特徴とする請求項１乃至請求項７に記載の通貨換算装置。
【請求項９】
任意の文字を入力可能なメッセージ入力手段を有し、前記表示手段は、前記メッセージ入力手段により入力された広告等の任意のメッセージを表示部に表示することができることを特徴とする請求項１乃至請求項８に記載の通貨換算装置。
【請求項１０】
前記メッセージ入力手段により予め入力された任意のメッセージを複数パターン記憶することのできる記憶手段を備え、前記投入され、識別された所定国の通貨の総額の大きさに応じて、表示部に表示される任意のメッセージを、前記記憶された複数パターンより選択するメッセージ選択手段を有することを特徴とする請求項９に記載の通貨換算装置。
【請求項１１】
前記返金口に返却される通貨の取忘れを検出する取忘れ検出手段を備え、前記返却された通貨が利用者により返金口から取り除かれるまで警告手段により警告を発することを特徴とする請求項１乃至請求項１０に記載の通貨換算装置。
【請求項１２】
少なくとも、前記換算後の金額を含む情報を記録紙に印刷する印刷手段を備えることを特徴とする請求項１乃至請求項１１に記載の通貨換算装置。
【発明の詳細な説明】
【技術分野】
【０００１】
本発明は、所定国の通貨を他国の通貨に換算し、換算後の金額を把握できるようにした通貨換算装置に関する。
【背景技術】
【０００２】
近年、海外渡航者あるいは海外からの旅行者は、増加の一途をたどっている。これら出入国者は、出入国時に空港内の銀行、ホテル等にて各国通貨間の両替を行う必要がある。特許文献１には、出入国の際に行われる各国通貨間の両替時において、係員の介在なしに自動的に両替を行うことにより、銀行、ホテル等の窓口業務を省力化することのできる外貨両替装置に関する技術が開示されている。
【０００３】
又、海外渡航者あるいは海外からの旅行者は、前記のように、実際に各国通貨間の「両替」を行う場合以外に、両替を行うことなく、単に、現在の所持金を他国の通貨に「換算」した金額だけを知りたい場合もある。
【０００４】
例えば、外国人旅行者が日本滞在中に所持している日本国の通貨を、帰国の際、あるいは旅行中に、自国の通貨に換算して現時点の残金を確かめておきたいという場合がある。所持金を自国の通貨にあてはめて、残金の総額を感覚的につかむ為である。
又、日本人が海外に出国する際に、空港等で、渡航先の国の通貨に両替することなく、両替後の金額（渡航先の国の通貨に換算した金額）だけを一時的に確認しておきたいという場合もある。
【０００５】
前記２つの場合においては、換算後の金額を確かめる方法としては、ホテル等に設置され始めた外貨両替装置を使用するか、計算機等を用いて自分で計算していた。
【先行技術文献】
【特許文献】
【０００６】
【特許文献１】特開平４−３５３９９４号公報
【特許文献２】特開平１０−２８３３２７号公報
【発明の概要】
【発明が解決しようとする課題】
【０００７】
上記のように、現在の所持金を、実際に他国の通貨に「両替」することなく、単に、他国の通貨に「換算」した金額だけを知りたい場合においては、前記特許文献１に開示されるような外貨両替装置を用いる場合は、換算後の金額を確認した後、実際に両替されることなく、投入した通貨が返金されるように、前記両替をキャンセルする操作を行う必要がある。しかし、前記キャンセルする操作自体が煩雑である。又、前記「換算」することを主目的として、ホテル等に外貨両替装置を設置する場合、その装置内には多額の現金が入っている為、セキュリティ上の配慮が必要となる。
【０００８】
又、前記特許文献２に開示される外国通貨換算電卓を用いれば手軽に各国通貨間の換算額を知ることができるが、まずは通貨の換算前に、現在の所持金を順次、個別にキー入力し、その総額を算出した上で、所望の通貨に換算する必要があり、キー入力する操作が煩雑である。
【０００９】
本発明は上述した課題を解決するものであり、実際に各国通貨間の「両替」を行うことなく、所定国の通貨を他国の通貨に「換算」し、換算後の金額を容易に把握できるようにした通貨換算装置の提供を目的とする。
【課題を解決するための手段】
【００１０】
上記課題を解決するために、請求項１に記載の発明は、所定国の通貨を他国の通貨に換算し、前記換算後の金額を把握できるようにした通貨換算装置において、利用者が投入する前記所定国の通貨を投入口から受入れる通貨受入れ手段及び、前記受入れた所定国の通貨を返金口に返却する通貨返却手段と、前記受入れた通貨の金種を識別する通貨識別手段と、前記識別した通貨の総額を算出する総額算出手段と、前記換算する通貨の種類を指定する通貨指定手段と、前記指定された通貨の種類に対応する通貨レートに従って、前記識別した所定国の通貨の総額を前記他国の通貨に換算する通貨換算手段と、前記通貨換算手段により換算された通貨の金額を表示部に表示する表示手段と、を備えることを特徴とするものである。
【００１１】
また、請求項２記載の発明は、請求項１記載の通貨換算装置において、前記所定国の通貨とは、日本国の通貨であり又、前記他国の通貨とは、前記通貨指定手段により、複数国の通貨から選択的に指定した通貨であることを特徴とするものである。
【００１２】
そして、請求項３に記載の発明は、請求項１に記載の通貨換算装置において、前記所定国の通貨とは、前記通貨指定手段により、複数国の通貨から選択的に指定した通貨であり、前記他国の通貨とは、日本国の通貨であることを特徴とするものである。
【００１３】
更に、請求項４に記載の発明は、請求項１乃至請求項３に記載の通貨換算装置において、
前記通貨指定手段の指定に対応する通貨レートを予め入力する通貨レート入力手段と、前記入力された通貨レートを記憶する通貨レート記憶手段とを備えることを特徴とするものである。
【００１４】
更に、請求項５に記載の発明は、請求項１乃至請求項４に記載の通貨換算装置において、
前記投入口として、硬貨を投入する為の硬貨投入口と紙幣を投入する為の紙幣投入口とを備え、又、前記返金口として、硬貨を返却する為の硬貨返却口と紙幣を返却する為の紙幣返却口とを備えることを特徴とするものである。
【００１５】
更に、請求項６に記載の発明は、請求項１乃至請求項５に記載の通貨換算装置において、
前記通貨受入れ手段は、前記受入れた通貨を一時的に貯留部に保持する保持手段を有することを特徴とするものである。
【００１６】
更に、請求項７に記載の発明は、請求項６に記載の通貨換算装置において、前記貯留部は、前記換算された通貨の金額を表示手段により表示後、貯留部の保持手段を解放し、通貨返却手段により、保持されていた通貨を全て返金口に返却することを特徴とするものである。
【００１７】
更に、請求項８に記載の発明は、請求項１乃至請求項７に記載の通貨換算装置において、
前記通貨受入れ手段が所定国の通貨以外を受入れた場合は、表示手段によりエラー表示を行うと共に、通貨返却手段により投入された前記通貨を返却することを特徴とするものである。
【００１８】
更に、請求項９に記載の発明は、請求項１乃至請求項８に記載の通貨換算装置において、
任意の文字を入力可能なメッセージ入力手段を有し、前記表示手段は、前記メッセージ入力手段により入力された広告等の任意のメッセージを表示部に表示することができることを特徴とするものである。
【００１９】
更に、請求項１０に記載の発明は、請求項９に記載の通貨換算装置において、前記メッセージ入力手段により予め入力された任意のメッセージを複数パターン記憶することのできる記憶手段を備え、前記投入され、識別された所定国の通貨の総額の大きさに応じて、表示部に表示される任意のメッセージを、前記記憶された複数パターンより選択するメッセージ選択手段を有することを特徴とするものである。
【００２０】
更に、請求項１１に記載の発明は、請求項１乃至請求項１０に記載の通貨換算装置において、前記返金口に返却される通貨の取忘れを検出する取忘れ検出手段を備え、前記返却された通貨が利用者により返金口から取り除かれるまで警告手段により警告を発することを特徴とするものである。
【００２１】
更に、請求項１２に記載の発明は、請求項１乃至請求項１１に記載の通貨換算装置において、少なくとも、前記換算後の金額を含む情報を記録紙に印刷する印刷手段を備えることを特徴とするものである。
【発明の効果】
【００２２】
請求項１記載の発明によれば、海外からの旅行者などが、現在の所持金を他国の通貨に両替することなく、他国の通貨に換算した金額だけを知りたい場合においては、旅行者は、現在の所持金を本発明における通貨換算装置に投入するだけで、自動的に、投入された通貨の総額を算出する。さらに、通貨換算装置は、算出された通貨の総額を指定された国の通貨レートに従って、指定された国の通貨に換算し、換算された金額を表示する。したがって、通貨換算装置の利用者は、実際に各国通貨間の両替を行うことなく、所定国の通貨を他国の通貨に換算し、換算後の金額を容易に把握できる。
【００２３】
請求項２記載の発明によれば、日本国の通貨を、複数国の通貨から選択的に指定した他国の通貨に換算できる為、通貨の換算種別に対する選択上の融通が利く。
【００２４】
請求項３記載の発明によれば、複数国の通貨から選択的に指定した他国の通貨を、日本国の通貨に換算できる為、通貨の換算種別に対する選択上の融通が利く。
【００２５】
請求項４記載の発明によれば、所定国の通貨から他国の通貨への換算は、予め入力される各国の通貨レートにしたがって換算される為、現時点における更新された通貨レートに応じて精度良く換算される。
【００２６】
請求項５記載の発明によれば、硬貨投入口から投入された通貨は、硬貨返却口に返却され、又、紙幣投入口から投入された紙幣は、紙幣返却口に返却され、各々の投入口から投入された硬貨及び、紙幣が返却される際に混在されることがなない。したがって、利用者は通貨の処理の流れが分かり易い。
【００２７】
請求項６記載の発明によれば、通貨受入れ手段は、受入れた通貨を一時的に貯留部に保持する保持手段を有する為、投入された通貨を、そのたびに返却することなく、換算処理後にまとめて利用者に返却することができる。したがって、特に、通貨を追加で投入しながら、その総額をまとめて換算する場合に、利用者にとって処理が分かり易い。
【００２８】
請求項７記載の発明によれば、前記貯留部は、前記換算された通貨の金額を表示手段により表示後、貯留部の保持手段を解放し、保持されていた通貨を全て返金口に返却する。したがって、利用者にとって処理が分かり易い。
【００２９】
請求項８記載の発明によれば、通貨受入れ手段が換算する国の通貨以外を受入れた場合は、表示手段によりエラー表示を行うと共に、通貨返却手段により投入された前記通貨を返却する。したがって、通貨の換算間違いを未然に防ぐことができる。
【００３０】
請求項９記載の発明によれば、任意の文字を入力可能なメッセージ入力手段を有し、前記表示手段は、利用者が通貨換算処理を使用していない間に、前記メッセージ入力手段により入力された広告等の任意のメッセージを表示部に表示することができる。したがって、通貨換算以外の付加機能として集客に有効に活用することができる。
【００３１】
請求項１０記載の発明によれば、利用者の現在の所持金に応じた広告等の任意のメッセージを表示部に表示することができる。したがって、通貨換算以外の付加機能として、集客にさらに有効に活用することができる。
【００３２】
請求項１１記載の発明によれば、換算した通貨が返却口から返却された場合は、返却された通貨が利用者により返金口から取り除かれるまで警告手段により警告を発するため、利用者が返却された通貨を取忘れることを防ぐことができる。
【００３３】
請求項１２記載の発明によれば、少なくとも、前記換算後の金額を含む情報を記録紙に印刷する印刷手段を備えるため、利用者は、別途メモを取ることなく換算情報を持ち帰ることができる。
【図面の簡単な説明】
【００３４】
【図１】本発明に係る通貨換算装置の実施形態の外観図
【図２】本発明の実施の形態における通貨換算装置のブロック図
【図３Ａ】通貨換算装置の動作の例を示すフローチャート
【図３Ｂ】通貨換算装置の動作の例を示すフローチャート
【図４Ａ】通貨換算動作における表示例を示す図
【図４Ｂ】通貨換算動作における表示例を示す図
【図４Ｃ】通貨換算動作における表示例を示す図
【図４Ｄ】通貨換算動作における表示例を示す図
【発明を実施するための形態】
【００３５】
（通貨換算装置の全体構成）
図１は、本発明に係る通貨換算装置１００の実施形態の外観図である。この通貨換算装置１００は、ホテルや空港等に設置され、海外渡航者あるいは海外からの旅行者などが、現在の所持金を、実際に、他国の通貨に「両替」するのではなく、単に、他国の通貨に「換算」した金額だけを知りたい場合に利用するものである。尚、前記通貨の換算時においては、利用者は、予め、通貨の総額を算出しておく必要はなく、換算したい所定国の通貨を装置本体１の通貨の投入口より無意識に投入するだけで、自動的にその総額を算出し、その総額を他国の通貨に換算することができるものである。
【００３６】
図１に示すように、通貨換算装置１００は、装置本体１の前面の接客面には、操作手順を案内したり、投入された通貨の換算結果を表示するタッチパネル２ａ内蔵の液晶表示部２（ＬＣＤ）、通貨投入部として紙幣を投入する紙幣投入口３及び、硬貨を投入する硬貨投入口５、通貨返却部として紙幣を返却する紙幣返却口４及び、硬貨を返却する硬貨返却口６、利用者に対して音声案内や警告を行うスピーカ８、交換レートを変更する際に操作する特別なスイッチが内蔵されおり、手で開閉できる開閉カバー９、換算後の金額を含む情報が印刷された記録紙２１を排出する排出部７がそれぞれ設けられている。
【００３７】
上記紙幣投入口３、硬貨投入口５、紙幣返却口４及び、硬貨返却口６は、上記液晶表示部２の下方にまとめて配置されており、通貨の投入、返却に対する利用者の意識が下方に集中している為、返却された紙幣及び硬貨の取忘れを防ぐことができる。
【００３８】
又、硬貨投入口５から投入された通貨は、硬貨返却口６に返却され、紙幣投入口３から投入された紙幣は、紙幣返却口４に返却され、各々の投入口から投入された硬貨及び、紙幣が返却される際に混在されることがなない。したがって、利用者は通貨の処理の流れが分かり易い。
【００３９】
図２は、通貨換算装置１００の電気的構成を示したブロック図である。
液晶表示部２（ＬＣＤ）は、利用者が通貨換算装置１００を操作するに際して、利用者に操作手順を案内したり、投入された通貨の換算結果の表示を行う。又、液晶表示部２は、タッチパネル２ａを備えており、キー操作により通貨換算の際の諸条件の設定等を行う。又、案内（警告）部１５は、利用者に対して音声案内や警告音による警告を行う。
【００４０】
紙幣投入口３及び、紙幣返却口４は、紙幣処理部１１に接続される。硬貨投入口５及び、硬貨返却口６は、硬貨処理部１２に接続されている。又、通貨保持部１６（貯留部）を備え、紙幣投入口３及び、硬貨投入口５より投入され受入れた通貨を、一時的に通貨保持部１６に保持（貯留）し、換算処理後に、紙幣返却口４及び、硬貨返却口６より投入された通貨を、それぞれ、まとめて利用者に返却するように制御される。したがって、通貨を追加で投入しながら、その総額をまとめて換算する場合に、利用者にとって処理が分かり易い。
【００４１】
又、前記紙幣処理部１１及び硬貨処理部１２は、受入れた通貨の金種を識別し、識別した通貨の総額を算出する処理を行う。
【００４２】
紙幣返却口４及び、硬貨返却口６は、通貨換算後の通貨が返却される返却口であって、
それぞれ、紙幣の取忘れを検知する紙幣取忘れ検知部１３及び、硬貨の取忘れを検知する硬貨取忘れ検知部１４を備え、前記案内（警告）部１５と連動して利用者に返却された通貨の取忘れを警告することによって、取忘れを防ぐ。
【００４３】
換算後の金額を含む情報が印刷された記録紙を排出する排出部７は、印刷部１７に接続され、印刷部１７で印刷された記録紙は排出部７へ送られ、装置本体１から利用者に記録紙を放出する。
【００４４】
そして、紙幣処理部１１、硬貨処理部１２、紙幣取忘れ検知部１３、硬貨取忘れ検知部１４、案内（警告）部１５、通貨保持部（貯留部）１６、印刷部１７及び、液晶表示部２はすべて主制御部１０によって制御されるようになっている。前記、紙幣処理部１１及び硬貨処理部１２により算出した総額は、主制御部１０により、指定された通貨に換算される。
【００４５】
この主制御部１０には、メモリ１８が接続されている。前記主制御部１０は、例えばマイクロコンピュータとその周辺回路などを主体に構成されていて通貨換算装置１００の全体の制御を司るものである。
【００４６】
メモリ１８は、使用可能な通貨に対応する代表的な言語による案内表示データや音声案内データ等が記憶されているとともに、所定国の通貨を他国の通貨に換算する交換レートなどの通貨データが記憶される。
【００４７】
以上の構成において、通貨投入部（紙幣投入口３及び、硬貨投入口５）は、本発明の通貨受入れ手段の実施形態を構成し、通貨返却部（紙幣返却口４及び、硬貨返却口６）は、本発明の通貨返却手段の実施形態を構成し、紙幣処理部１１及び、硬貨処理部１２は、本発明の通貨識別手段及び、総額算出手段の実施形態を構成し、主制御部１０は、本発明の通貨換算手段の実施形態を構成し、液晶表示部２は、本発明の表示（案内）手段の実施形態を構成し、紙幣取忘れ検知部１３、硬貨取忘れ検知部１４は、本発明の取忘れ検出手段の実施形態を構成し、タッチパネル２ａは、本発明の通貨指定手段、通貨レート入力手段及び、メッセージ入力手段の実施形態を構成し、メモリ１８は、本発明の通貨レート記憶手段の実施形態を構成し、案内・警告部は、本発明の警告手段の実施形態を構成し、印刷部７は、本発明の印刷手段の実施形態を構成し、貯留部６は、本発明の通貨保持手段の実施形態を構成する。
【００４８】
（通貨換算装置の動作）
次に、上述した通貨換算装置１００の動作について説明する。図３Ａは、通貨換算装置１００の動作を示したフローチャートである。通貨換算装置１００の電源を投入後、通貨換算装置１００の液晶表示部２には、スタート画面として、図４Ａに示すような「メッセージ画面」２２が表示される。この「メッセージ画面」２２には、例えば、広告等、顧客を誘引するメッセージ２２ａと、“メッセージ入力”キー２２ｂと、“通貨換算画面へ”キー２２ｃとが表示される（ステップ１）。「メッセージ画面」２２は、装置の管理者が予め、タッチパネル２ａより広告等の任意のメッセージを入力し、入力されたメッセージを液晶表示部２に表示することができる。
【００４９】
尚、液晶表示部２に表示する表示画面は、大きくは、「メッセージ表示画面」と「通貨換算表示画面」の２つに分類される。「メッセージ表示画面」（図４Ａ）は、通貨の換算処理を行うことなく、通貨換算装置１００の管理者により任意に入力された広告等のメッセージを表示する。したがって、通貨換算以外の付加機能として集客に有効に活用することができる。又、「通貨換算表示画面」（図４Ｂ〜図４Ｄ）は、通貨の換算処理に関する情報を表示する。
【００５０】
「メッセージ表示画面」は、例えば、「通貨換算表示画面」において、利用者による通貨換算に関する操作が一定時間以上されない場合に、通貨換算時の表示画面から広告画面としての「メッセージ表示画面」に自動的に切替わる。
【００５１】
又、通貨換算装置１００の管理者は、装置１の液晶表示部２の下方に配置される開閉カバー９を開いて、不図示の通貨レートキーを押下することにより、液晶表示部２は「交換レート・入力モード」（不図示）に切替り、通貨換算装置１００で換算可能な国毎に最新の交換レートを入力することができる。したがって、現時点における更新された通貨レートに応じて精度良く換算される。交換レートを入力後、再度、前記通貨レートキーを押下すると、最新の為替レートはメモリ１８に記憶され、図４Ａに示す「メッセージ画面」２２に切替わる。最新の為替レートをメモリ１８に記憶した後、通貨換算装置１００は通貨換算可能な状態となる。尚、前記通貨レートキーを開閉カバー９内に内蔵したのは、一般利用者が不用意に操作して為替レートが変更されないようにする為である。開閉カバー９に装置の管理者専用の鍵を付けるように構成してもよい。
【００５２】
次に、図４Ａに示す「メッセージ画面」２２において、通貨換算画面へキー２２ｃが押下されたか否か判断する（ステップ２）。この判断により、通貨換算画面へキー２２ｃが押下されていないと判断した場合は、次に、「メッセージ画面」２２において、“メッセージ入力”キー２２ｂが押下されたか否か判断する（ステップ８）。この判断により、“メッセージ入力”キー２２ｂが押下されたと判断した場合は、不図示の「メッセージ入力画面」に切替える（ステップ９）。装置の管理者は、予め、タッチパネル２ａより任意のメッセージを入力し（ステップ１０）、入力された広告等の任意のメッセージを液晶表示部２に表示する。
【００５３】
“メッセージ入力”キー２２ｂが押下されていないと判断した場合は、次に、装置１の開閉カバー９内に内蔵されている“通貨レート”キーが押下されたか否か判断する（ステップ１１）。この判断により、“通貨レート”キーが押下されたと判断した場合は、「通貨レート入力画面」に切替え（ステップ１２）、換算可能な国毎に最新の為替レートを入力する（ステップ１３）。“通貨レート”キーが押下されていないと判断した場合は、ステップ２に戻る。
【００５４】
ステップ２において、図４Ａに示す「メッセージ画面」２２上の“通貨換算画面へ”キー２２ｃが押下されたと判断した場合は、主制御部１０は、液晶表示部２の表示を図４Ｂに示す「通貨換算内容の選択画面」２３に切替える（ステップ３）。この「通貨換算内容の選択画面」２３には、利用者が希望する通貨換算内容を選択することを促すメッセージ２３ａと、日本円から換算する他国の通貨を選択する３つのキー２３ｂと、日本円に換算する他国の通貨を選択する３つのキー２３ｃとが表示される。
【００５５】
図４Ｂに示す「通貨換算内容の選択画面」２３においては、大きくは、日本円から複数国の通貨に換算する場合と、複数国の通貨から日本円に換算する場合の２つの選択肢がある。利用者は、前記２つの選択肢の内、さらに、希望に該当する方のそれぞれの「米ドル」、「ユーロ」、「英ポンド」の３つのキーの中から一つを選択し、キーを押下する。前記キーの押下により、換算通貨が指定される（ステップ４）。尚、実施例では、日本円から米ドルに換算する場合を説明する。換算通貨が指定されると、図４Ｃに示す「換算開始画面」２４が表示される。この「換算開始画面」２４には、利用者が希望する通貨換算通貨を投入口から投入することを促すメッセージ２４ａと、投入された現在の総額を示すメッセージ２４ｂと、利用者に換算を開始することを確認するメッセージ２４ｃと、その回答として、“はい”キー２４ｄと“いいえ”キー２４ｅとが表示される。
【００５６】
利用者が、換算通貨の指定間違い等により、日本円から米ドルへの換算を始めることを選択しない（「いいえ」を選択した）場合は、「通貨換算内容の選択画面」２３に戻る。利用者が、日本円から米ドルへの換算を始めることを選択（「はい」を選択）すると、次に、通貨換算装置１００の通貨投入口（紙幣投入口３、硬貨投入口５）より利用者が換算したい通貨が投入されたか否か判断する（ステップ５）。この判断により、通貨が投入されていないと判断した場合は、通貨が投入されるのを待つ。
【００５７】
通貨が投入されたと判断した場合は、投入された通貨が紙幣の場合は紙幣処理部１１、投入された通貨が硬貨の場合は硬貨処理部１２により、投入された通貨を識別し（ステップ６）、その識別結果を主制御部１０に出力する。尚、前記投入された通貨は、すぐに返金されることなく、通貨換算処理が終わるまで、一時的に通貨保持部１６に保持（貯留）される（ステップ７）。
【００５８】
次に、主制御部１０は、前記判別結果に基づいて、利用者が投入した通貨が指定国の通貨である日本円か否かを判断する（ステップ１４）。
【００５９】
この判断により利用者が投入した通貨が日本円でないと判断した場合、主制御部１０は、警告の上（ステップ２１）、投入された通貨を返却する（ステップ２０）。
【００６０】
通貨受入れ手段が換算する国の通貨以外を受入れた場合は、表示手段によりエラー表示を行うと共に、通貨返却手段により投入された前記通貨を返却する。したがって、通貨の換算間違いを未然に防ぐことができる。
【００６１】
利用者が投入した通貨が日本円であると判断した場合は、主制御部１０は、投入された日本円の総額を算出し（ステップ１５）、次に、主制御部１０は、投入された日本円の総額を米ドルに換算する（ステップ１６）。
【００６２】
前記投入された日本円の総額及び、その総額を米ドルに換算した結果については、図４Ｄに示す「換算結果表示画面」２５に表示される（ステップ１７）。この「換算結果表示画面」２５には、本日の為替レートを示すメッセージ２５aと、投入された日本円の総額を示すメッセージ２５ｂと、日本円から米ドルへの換算結果を示すメッセージ２５ｃと、利用者に換算結果を印刷するか否かを確認するメッセージ２５ｄと、その回答として、“はい”キー２５ｅと“いいえ”キー２５ｆとが表示される。
【００６３】
次に、利用者が前記表示内容（換算結果）を印刷することを希望するか否かを判断する（ステップ１８）。図４Ｄの「換算結果表示画面」２５上にて、換算結果を印刷することを選択（「はい」を選択）すると、換算後の金額を含む情報が印刷された記録紙を排出部７より排出する（ステップ２２）。換算結果を印刷しないことを選択（「いいえ」を選択）すると、ステップ７において、一時的に通貨保持部１６に保持（貯留）されていた通貨が開放され（ステップ１９）、投入された通貨は、通貨返却部（紙幣返却口４及び、硬貨返却口６）からそれぞれ返却される（ステップ２０）。
【００６４】
前記のように、換算後の金額を含む情報を記録紙に印刷する印刷手段を備えるため、利用者は、別途メモを取ることなく換算情報を持ち帰ることができる。
【００６５】
前記貯留部１６は、前記換算された通貨の金額を表示手段により表示後、通貨の保持部を解放し、保持されていた通貨を全て返金口に返却する。したがって、利用者にとって処理が分かり易い。
【００６６】
次に、返却された通貨が通貨返却部（紙幣返却口４及び、硬貨返却口６）から取り除かれたか否か判断する（ステップ２３）。前記、紙幣返却口４及び、硬貨返却口６には、それぞれ、紙幣の取忘れを検知する紙幣取忘れ検知部１３及び、硬貨の取忘れを検知する硬貨取忘れ検知部１４を備えている。
【００６７】
前記判断により、取り除かれた（取忘れがない）と判断した場合は、初期画面の「メッセージ表示画面」を再び表示する（ステップ２４）。取り除かれていない（取忘れがある）と判断した場合は、案内（警告）部１５と連動して利用者に返却された通貨の取忘れを警告することによって、取忘れを防ぐ（ステップ２５）。警告により、取り除かれた（取忘れがない）と判断した場合は、初期画面の「メッセージ表示画面」を再び表示する（ステップ２４）。尚、前記「メッセージ表示画面」を再び表示する場合においては、表示部２のタッチパネル２ａにより予め入力された任意のメッセージを複数パターン記憶することのできるメモリ８を備え、投入され、識別された所定国の通貨の総額の大きさに応じて、表示部２に表示される任意のメッセージを、前記記憶された複数パターンより選択するメッセージ選択手段（不図示）を有するように構成してもよい。
【００６８】
上述したように、換算した通貨が返却口から返却された場合は、返却された通貨が利用者により返金口から取り除かれるまで警告手段により警告を発するため、利用者が返却された通貨を取忘れることを防ぐことができる。
【００６９】
以上の構成の通貨換算装置１００によれば、次のような効果を発揮できる。
【００７０】
海外からの旅行者などが、現在の所持金を他国の通貨に両替することなく、他国の通貨に換算した金額だけを知りたい場合においては、旅行者は、現在の所持金を通貨換算装置に投入するだけで、自動的に、投入された通貨の総額を算出する。さらに、通貨換算装置は、算出された通貨の総額を指定された国の通貨レートに従って、指定された国の通貨に換算し、換算された金額を表示する。したがって、通貨換算装置の利用者は、実際に各国通貨間の両替を行うことなく、所定国の通貨を他国の通貨に換算し、換算後の金額を容易に把握できる。
【００７１】
又、日本国の通貨を、複数国の通貨から選択的に指定した他国の通貨に換算できる為、通貨の換算種別に対する選択上の融通が利く。
【００７２】
又、複数国の通貨から選択的に指定した他国の通貨を、日本国の通貨に換算できる為、通貨の換算種別に対する選択上の融通が利く。
【００７３】
又、「メッセージ表示画面」は、通貨の換算処理を行っていない時に、通貨換算装置１００の管理者により任意に入力された広告等のメッセージを表示することができる。したがって、通貨換算以外の付加機能として集客に有効に活用することができる。
【００７４】
（他の実施形態）
以上、通貨換算装置１００の実施例として、日本国の通貨から複数の他国の通貨への換算及び、複数の他国の通貨から日本国の通貨への換算を行う場合についてのみ説明したが、
本件発明はこれに限ることなく、複数国の通貨から複数国の通貨への換算ができるように構成してもよい。
【００７５】
又、液晶表示部２の表示画面として日本語による操作ガイドの実施例を示したが、
本件発明はこれに限ることなく、利用者の選択により、英語その他の言語による操作ガイドを実行できるように構成してもよい。
【００７６】
又、「通貨換算表示画面」から「メッセージ表示画面」に切替わる条件として、装置本体１の前面の接客面に人の近接を検出するセンサを設けて、装置本体１近くに一定時間以上人が検出されない場合に、通貨換算時の表示画面から広告画面としての「メッセージ表示画面」に自動的に切替わるように構成してもよい。
【符号の説明】
【００７７】
１  装置本体
２  液晶表示部
３  紙幣投入部
４  紙幣返却部
５  硬貨投入口
６  硬貨返却口
７  記録紙排出部
８  スピーカ
９  開閉カバー
２１  記録紙
１００  通貨換算装置
【図１】
2019079161.tif 000003
【図２】
2019079161.tif 000004
【図３Ａ】
2019079161.tif 000005
【図３Ｂ】
2019079161.tif 000006
【図４Ａ】
2019079161.tif 000007
【図４Ｂ】
2019079161.tif 000008
【図４Ｃ】
2019079161.tif 000009
【図４Ｄ】
2019079161.tif 000010